(57)【要約】【課題】利用者端末上での利用者の操作停滞時間を有効に利用して、ＣＭ映像コンテンツやお勧め番組コンテンツなどを提供できるようにする。【解決手段】利用者端末１００は、端末立上げ時などに、コンテンツ配信元のＵＲＬとリンク情報のリストである再生リストを再生リスト管理サーバ２００から取り寄せて保持し、利用者操作が一定時間以上停滞したことを検出すると、前記再生リストを参照してコンテンツ配信サーバ３００からコンテンツの配信を受け、該コンテンツをスクリーンセーバー的に表示するようにする。【選択図】　　　　図１
2004127128.tif 000002
【特許請求の範囲】
【請求項１】
利用者端末においてネットワーク上のコンテンツをスクリーンセーバー的に表示して提示するスクリーンセーバ型情報提示方法であって、
利用者端末は、コンテンツ配信元のＵＲＬとリンク情報のリストである再生リストを保持し、利用者操作が一定時間以上停滞したことを検出すると、前記再生リストを参照してコンテンツ配信サーバからコンテンツの配信を受け、該コンテンツをスクリーンセーバー的に表示することを特徴とするスクリーンセーバ型情報提示方法。
【請求項２】
請求項１記載のスクリーンセーバー型情報提示方法において、利用者端末は、表示されているコンテンツの一部を利用者が指定すると、再生リストの対応するリンク情報をもとにＷｅｂサイトにアクセスして関連コンテンツを表示することを特徴とするスクリーンセーバー型情報提示方法。
【請求項３】
請求項１又は２記載のスクリーンセーバー型情報提示方法において、利用者端末は、その立上げ時に、ネットワーク上の再生リストを管理する任意のサーバから再生リストを取り寄せることを特徴とするスクリーンセーバー型情報提示方法。
【請求項４】
請求項１乃至３のいずれか１項記載のスクリーンセーバー型情報提示方法において、利用者端末は、利用者操作が一定時間以上停滞したことを検出する毎に、異なるコンテンツの配信を受けるようにすることを特徴とするスクリーンセーバー型情報提示方法。
【請求項５】
請求項１乃至４のいずれか１項記載のスクリーンセーバー型情報提示方法をコンピュータで実行させるためのプログラムを記録した記録媒体。
【発明の詳細な説明】
【０００１】
【発明の属する技術分野】
本発明は、ＣＭ映像コンテンツなどのようなストリーミング映像などのブロードバンドネットワークコンテンツを対象とし、利用者端末上の利用者操作が行われない空き時間を利用してコンテンツの配信を受け、スクリーンセーバー的にコンテンツを表示するスクリーンセーバー型情報提示方法及びそのプログラムを記録した記録媒体に関する。
【０００２】
【従来の技術】
パソコンなどの利用者端末におけるスクリーンセーバー機能は、本来、利用者端末上の利用者操作が行われていない間に、各種の情報を提示してスクリーンの焼き付きなどの劣化を防止する機能であり、従来は単純な幾何学図形を表示したり、幾つかの静止画像を交互に表示するなど単純な利用であった（例えば、非特許文献１参照）。
【０００３】
【非特許文献１】
椿　浩和、“ＰＣ−９８特選ＭＳ−ＤＯＳスクリーンセーバーコレクション”、（株）インプレス、（２００２年９月９日検索）、インターネット〈ＵＲＬ：ｈｔｔｐ：／／ｈｏｍｅ．ｉｍｐｒｅｓｓ．ｃｏ．ｊｐ／ｃａｔａｌｏｇ／ｉｍｐｒｅｓｓ／ｂｋ４６１６／〉
【０００４】
【発明が解決しようとする課題】
利用者端末上での利用者操作は、断続的に行われるのが一般的であり、ときにはしばらく手を休めている場合もある。利用者が端末操作を停滞させている間の時間は、無駄に単純図形などを表示することに費やされている場合が多い。
【０００５】
本発明の目的は、上述のような利用者端末上での利用者操作停滞時間を有効に利用し、ある種広告媒体的にこの時間を活用し、ＣＭ映像コンテンツや、お勧めコンテンツなどをプッシュ的にサーバから配信して、利用者端末にスクリーンセーバー的に表示することにより、利用者操作停滞時間を情報提供のための有効な時間として利用することにある。
【０００６】
【課題を解決するための手段】
上記目的を達成するために、請求項１の発明では、利用者端末は、コンテンツ配信元のＵＲＬとリンク情報のリストである再生リストを保持し、利用者操作が一定時間以上停滞したことを検出すると、前記再生リストを参照してコンテンツ配信サーバからコンテンツの配信を受け、該コンテンツをスクリーンセーバー的に表示することを特徴とする。
【０００７】
また、請求項２の発明では、利用者端末は、表示されているコンテンツの一部を利用者が指定すると、再生リストの対応するリンク情報をもとにＷｅｂサイトにアクセスして関連コンテンツを表示することを特徴とする。
【０００８】
また、請求項３の発明では、利用者端末は、その立上げ時に、ネットワーク上の再生リストを管理する任意のサーバから再生リストを取り寄せることを特徴とする。
【０００９】
また、請求項４の発明では、利用者端末は、利用者操作が一定時間以上停滞したことを検出する毎に、異なるコンテンツの配信を受けるようにすることを特徴とする。
【００１０】
更に、請求項５の発明は、請求項１乃至４のいずれか１項記載のスクリーンセーバー型情報提示方法をコンピュータで実行させるためのプログラムを記録した記録媒体を特徴とする。
【００１１】
【発明の実施の形態】
以下に、本発明の実施の形態について図面を参照して説明する。
図１は本発明の一実施形態を示すシステム構成図である。図１において、利用者端末１００は、インターネットなどのネットワーク５００を介して再生リスト管理サーバ２００、コンテンツ配信サーバ３００、Ｗｅｂサイト４００と結ばれれている。利用者端末１００は本発明に関係する構成として、再生リスト管理サーバ２００から再生リストを取り寄せて管理するクライアント側再生リスト管理部１１０、利用者の端末操作（キー操作、マウス操作など）を監視する利用者インタラクション監視部１２０、時間を管理するタイマー１３０、タイマー１３０からのトリガ情報を受け取ってコンテンツ配信サーバ３００にコンテンツの配信を要求するコンテンツ配信要求部１４０、コンテンツ配信サーバ３００から受け取ったコンテンツを再生表示するコンテンツ再生部１５０、コンテンツのリンク情報をもとにＷｅｂサイト４００を参照して関連コンテンツを入手して表示するＷｅｂブラウザ１６０などを具備している。
【００１２】
再生リスト管理サーバ２００は、利用者にプッシュ的に配信するコンテンツのリストである再生リストを管理するサーバ側再生リスト管理部２１０を具備している。この再生リスト管理サーバ２００は、再生リストを管理する任意のサーバであり、例えば、再生リストを利用者に有料／無料で専門にサービスするサーバでもよく、あるいは、任意のコンテンツ配信サーバやＷｅｂサーバなどが兼ねてもよい。コンテンツ配信サーバ３００は、利用者に対してＣＭやお勧めコンテンツなどを配信するコンテンツ配信部３１０を具備している。Ｗｅｂサイト４００は種々のウエブサーバ４１０の総称である。
【００１３】
次に、図２の利用者端末の処理フロー図にもとづいて動作を説明する。
利用者端末に１００おけるクライアント側再生リスト管理部１００は、該利用者端末１００の立上時など（電源投入時など）に、再生リスト管理サーバ２００のサーバ側再生リスト管理部２１０に再生リストを要求し（Ｓ１）、再生リストを受信する（Ｓ２）。クライアント側再生リスト管理部１１０は、この受信した再生リストを、利用者インタラクション監視部１２０とコンテンツ配信要求部１４０に送付する。
【００１４】
図３は、再生リストの一例である。図３に示すように、再生リストはプッシュ的に配信するコンテンツのＵＲＬとリンク情報（関連情報のＵＲＬ）のリストである。
【００１５】
利用者インタラクション監視部１２０は利用者端末１００上での利用者操作を監視している（Ｓ３）。該利用者インストラクション監視部１２０は、利用者による一連のキー操作やマウス操作などが行われている間は、所定の時間間隔（例えば数秒等）でタイマー１３０にリセット情報を送りつづける。タイマー１３０は、利用者インタラクション監視部１２０からリセット情報が送られるたびに時間をリセットして、あらためて“０”から時間を計時する。一方、予め設定された時間が経過しても、利用者インタラクション監視部１２０からリセット情報が送られなくなると、即ち、利用者の端末操作が一定時間以上停滞すると、タイマー１３０は、コンテンツ配倍要求部１４０に対して、トリガー情報を発信する。
【００１６】
コンテンツ配信要求部１４０は、タイマー１３０からトリガー情報を受け取ると、先にクライアント側再生リスト管理部１１０から受け取った再生リストのコンテンツＵＲＬを参照し、コンテンツ配信サーバ３００におけるコンテンツ配信部３１０に対して、ＵＲＬに該当するコンテンツの配信を要求する（Ｓ４）。コンテンツ配信サーバ３００におけるコンテンツ配信部３１０は、対応するコンテンツを利用者端末１００に送信し、利用者端末１００のコンテンツ再生部１５０がこれを受信して（Ｓ５）、利用者端末１００上でスクリーンセーバー的に全画面再生表示する（Ｓ６）。
【００１７】
利用者インタラクション監視部１２０では、利用者端末１００上での利用者操作を監視しており（Ｓ７）、利用者端末１００上においてスクリーンセーバー的に表示されているコンテンツの一部（リンク情報）を利用者がクリックするのを検出すると（Ｓ８）、コンテンツ再生部１５０に停止要求を送って現在表示されているコンテンツを停止させるとともに（Ｓ９）、先にクライアント側再生リスト管理部１１０から受け取った再生リストを参照して、現在表示されているコンテンツに対応するリンク情報（関連情報のＵＲＬ）をＷｅｂブラウザ１６０に渡し、該Ｗｅｂブラウザ１６０を起動する。このとき、利用者インタラクション監視部１２０はタイマー１３０に対してリセット情報を送り、タイマー１３０は、あらためて“０”から時間を計時することになる。
【００１８】
Ｗｅｂブラウザ１６０は、利用者インストラクション監視部１２０から渡されたリンク情報（関連情報のＵＲＬ）を参照して、Ｗｅｂサイト４００上のリンク先（リンク情報の実体を配備するＷｅｂサーバ４１０）に対して関連コンテンツを要求し（Ｓ１０）、リンク先から関連コンテンツを受信して（Ｓ１１）、利用者端末上に表示する（Ｓ１２）。
【００１９】
また、利用者インタラクション監視部１２０は、利用者端末１００上においてコンテンツがスクリーンセーバー的に表示されている状態で、リンク情報の指定なく通常のキー操作やマウス操作が再開されて、利用者端末上での利用者による操作停滞が終了した場合には、コンテンツ再生部１５０に対して停止要求を送信し、スクリーンセーバー的に表示されているコンテンツの表示を停止させる（Ｓ１３）。このときも、利用者インストラクション監視部１２０はタイマー１３０に対してリセット情報を送り、タイマー１３０は、あらかじめ“０”から時間を計時することになる。
【００２０】
以下、利用者端末１００上での利用者操作が一定時間以上停滞する毎に、利用者端末１００ではステップＳ４〜Ｓ１３の動作が繰り返される。ここで、例えば、コンテンツ配信要求部１４０では、タイマー１３０からトリガー情報を受け取る毎に、再生リストに記述されている順番にコンテンツＵＲＬを参照して、コンテンツ配信サーバに該当するコンテンツを要求するようにすれば、利用者操作が停滞する毎に、利用者に対して、順次、新しいコンテンツをプッシュ的に配信してスクリーンセーバー的に表示することができる。また、コンテンツ配信要求部１４０は、再生リストの中からコンテンツＵＲＬをランダムに選択することでもよい。
【００２１】
また、クライアント側再生リスト管理部１１０は、利用者端末の立上げ時に毎回、再生リストを管理するサーバへ再生リストを要求することはせず、ある利用者端末の立上げ時に１回要求し、その後は、例えば利用者から指示があった場合にのみ要求することでもよい。ただし、利用者端末の立上げ時に毎回、再生リストを要求するようにすると、常に最新の再生リストが入手できる利点がある。
【００２２】
なお、図１で示した利用者端末装置１００における各部の一部もしくは全部の処理機能をコンピュータのプログラムで構成し、そのプログラムをコンピュータを用いて実行して本発明を実現することができること、あるいは、図２で示した処理手順をコンピュータのプログラムで構成し、そのプログラムをコンピュータに実行させることができることは言うまでもない。また、コンピュータでその処理機能を実現するためのプログラム、あるいは、コンピュータにその処理手順を実行させるためのプログラムを、そのコンピュータが読み取り可能な記録媒体、例えば、ＦＤやＭＯ、ＲＯＭ、メモリカード、ＣＤ、ＤＶＤ、リムーバブルディスクなどに記録して、保存したり、提供したりすることができるとともに、インターネット等のネットワークを通してそのプログラムを配布したりすることが可能である。
【００２３】
【発明の効果】
以上説明したように、本発明によれば以下のような効果が得られる。
（１）利用者端末上での一連のキー操作やマウス操作が停滞したことを検出して、プッシュ的に情報提供を受けることができるようにしたので、利用者端末上での利用者操作停滞時間を有効に利用し、ある種広告媒体的にこの時間を活用し、ＣＭ映像コンテンツや、お勧め番組コンテンツなどをプッシュ的にサーバから配信して利用者端末表示することにより、利用者換作停滞時間を情報提供のための有効な時間として利用することができるようになる。
【００２４】
（２）利用者によるキー操作やマウス操作が再開されると、自動的にスクリーンセーバー的に表示されているプッシュコンテンツの再生・表示を停止するので、利用者操作の邪魔にならず効果的にコンテンツを配信し提示させることができる。
【００２５】
（３）さらに、利用者操作が停滞している間に送られてきたコンテンツに興味が生じた瞬間に、利用者が表示部分をクリックすることにより、関連情報を自動的に参照してＷｅｂブラウザが立ち上がるので、コンテンツを切っ掛けとした詳細な関連情報を利用者が受信することができるようになる。
【図面の簡単な説明】
【図１】本発明の一実施形態を示すシステム構成図である。
【図２】本発明における利用者端末の処理フロー例である。
【図３】本発明における再生リストの一例である。
【符号の説明】
１００　利用者端末
１１０　クライアント側再生リスト管理部
１２０　利用者インタラクション監視部
１３０　タイマー
１４０　コンテンツ配信要求部
１５０　コンテンツ再生部
１６０　Ｗｅｂブラウザ
２００　再生リスト管理サーバ
３００　コンテンツ配信サーバ
４００　Ｗｅｂサイト
５００　ネットワーク
【図１】
2004127128.tif 000003
【図２】
2004127128.tif 000004
【図３】
2004127128.tif 000005